(57)【要約】【課題】  装着中の聴音システムの作動状態を目視する必要がなく、手を当てるだけで確実、容易に変化させることのできる快適性に優れた聴音システム及び同システムの制御方法を提供する。【解決手段】  聴音システムは、音響／電気入力トランスデューサを有する聴音装置を含み、少くとも第一及び第二のモードにおいて制御可能に作動させることができる。検出装置が、音響／電気入力トランスデューサの音響入力インピーダンスの挙動を検出する。検出された挙動を音響入力インピーダンスの事前に決定された少くなくとも１つの所定挙動に関して評価装置が評価する。評価装置の出力は第一のモードから第二のモードへの切換を制御する。【選択図】            図１
2005110241.tif 000002
【特許請求の範囲】
【請求項１】
音響／電気入力トランスデューサ装置（３）を有して少くとも１つの耳に適用可能とされた聴音装置（３、５、７）を備え、かつ、第一の作動状態及び少くとも１つの第二の作動状態において制御可能に作動させられる聴音システム（１）において、前記音響／電気入力トランスデューサ装置の音響入力に対する音響入力インピーダンスの挙動を検出する検出装置（９、２４；Ｌ）及び検出された前記挙動を前記音響入力インピーダンスの事前に決定された少くとも１つの所定挙動に関して評価する評価装置（１１、Ｌ）が設けられ、かつ、前記評価装置（１１、Ｌ）の出力は前記第一の作動状態から前記少くとも１つの第二の作動状態（１５）への切換を制御してなることを特徴とする聴音システム。
【請求項２】
前記所定挙動は、前記聴音装置及び／又はその周辺に手を当てることにより選択されてなることを特徴とする請求項1記載の聴音システム。
【請求項３】
前記聴音装置は、電気／音響出力トランスデューサ（７ａ）を備え、かつ、前記検出装置（９、２４、２４ａ）は装着中の前記聴音装置（７、１１）を含む音響／電気フィードバックループ（Ｌ）の安定性を検出してなることを特徴とする請求項１又は２記載の聴音システム。
【請求項４】
前記検出装置及び評価装置は、装着中の前記聴音装置を含む音響／電気フィードバックループ（Ｌ）によって実現されてなることを特徴とする請求項１ないし３のいずれかに記載の聴音システム。
【請求項５】
前記第一及び第二の作動状態は、前記聴音装置（３、５、７）の作動状態であり又はこれを含んでなることを特徴とする請求項１ないし４のいずれかに記載の聴音システム。
【請求項６】
通信接続（３０）を介して前記聴音装置（３１、５１、７１）に接続された第二の聴音装置を備え、かつ、前記第一及び第二の作動状態は前記第二の聴音装置の作動状態であり又はこれを含んでなることを特徴とする請求項１ないし５のいずれかに記載の聴音システム。
【請求項７】
通信接続（３０）を介して前記聴音装置に接続された第二の聴音装置を備え、かつ、前記第一及び第二の作動状態は前記通信接続（３０）の作動状態であり又はこれを含んでなることを特徴とする請求項1ないし６のいずれかに記載の聴音システム。
【請求項８】
前記聴音システムは、１つのみの前記聴音装置を備えてなることを特徴とする請求項１記載の聴音システム。
【請求項９】
前記少くとも１つの耳に適用される聴音装置は、耳外取付聴音装置又は耳内取付聴音装置又は完全耳道内取付聴音装置でなることを特徴とする請求項１ないし８のいずれかに記載の聴音システム。
【請求項１０】
前記少くとも１つの耳に適用される聴音装置は、補聴器装置でなることを特徴とする請求項１ないし９のいずれかに記載の聴音システム。
【請求項１１】
聴音装置を有する聴音システムを手動により制御する方法において、前記聴音装置及び／又はその周辺に手を当てること、及び前記手を当てることによる音響入力インピーダンスの変化を検出して前記聴音システムを制御することを備えてなることを特徴とする方法。
【発明の詳細な説明】
【技術分野】
【０００１】
本発明は、音響／電気入力トランスデューサ装置を有して少くとも１つの耳に適用可能とされた聴音装置を備えた聴音システム及びこの聴音システムを制御する方法に関する。
【背景技術】
【０００２】
本発明は、一般的に聴音装置の作動状態を変化させる、トグルスイッチのような手動操作部材を有する聴音装置における問題点に関わっている。このような作動状態の変化は、例えば音量の制御や、又は音響／電気入力トランスデューサ装置の出力と電気／機械出力トランスデューサ装置の入力との間において種々の信号処理を実施する聴音プログラムを一方のプログラムから他方へと切換えることを含んでいる。このような場合の制御操作には、ミュート（MUTE）状態等への切換も含まれる。即ち、手動操作部材の操作により、聴音装置を所望のいずれの作動状態にも制御することが可能である。
【０００３】
聴音装置におけるこのような手動操作部材に関わる問題点は、当分野の熟練者によく知られているように、聴音装置の装着者がこのような部材の操作を実施するために装置を直接目視できないこと、及びこのような手動操作部材はそれぞれのニーズに合わせて、即ち、聴音装置が耳外取付聴音装置であるか、又は耳内取付聴音装置であるか、又は完全耳道内取付聴音装置であるかによって、非常に小型に作らねばならないことである。
【発明の開示】
【発明が解決しようとする課題】
【０００４】
以上の問題点に鑑みて、本発明はこのような聴音装置の作動状態を制御するためのより快適な可能性を提供することを課題とする。
【課題を解決するための手段】
【０００５】
個々の聴音装置における上述の問題点を解決するために、本発明による聴音システムは、音響／電気入力トランスデューサ装置を有して少くとも１つの耳に適用可能とされた聴音装置を備える。この聴音システムは更に、第一の作動状態及び少くとも１つの第二の作動状態において制御可能に作動させることができる。この聴音システムは、音響／電気入力トランスデューサ装置の音響入力に現れる音響入力インピーダンスの挙動を検出する検出装置及び検出された挙動を音響入力インピーダンスの事前に決定された少くとも１つの所定挙動に関して評価する評価装置を有する。また、評価装置の出力は上記の第一の作動状態から上記の少くとも１つの第二の作動状態への切換を制御する。
【０００６】
これにより、入力トランスデューサ装置の音響入力が存在する音響環境内に所定状態が出現した時にこれを選択し、これに応じてシステムの１つの作動状態から同システムの第二の作動状態への切換制御を実施することができる。
【０００７】
本発明の好ましい実施の形態において、意図された音響インピーダンスの所定挙動は、聴音装置及び／又はその周辺に手を当てた時に引起される挙動の１つとして選択することができる。即ち、聴音システムの装置の装着者が所定の方法において聴音装置及び／又はその周辺に自分の手を当てることによりシステムの作動状態の切換を実施するようにして、聴音装置を制御する。
【０００８】
システムの聴音装置が電気／音響出力トランスデューサ装置を有する場合は、上記検出装置は、装着者に適用された装置を含む音響／電気フィードバックループの安定性を検出する。
【０００９】
当分野においてよく知られているように、電気／音響出力トランスデューサ装置を有する聴音装置を装着者の耳に適用した場合に、出力トランスデューサの出力から入力トランスデューサの入力に対する音響フィードバックに起因して装置の安定性に問題が生じ易い。
【００１０】
この音響フィードバックは、聴音装置を含むフィードバックループシステムにおいて容易に不安定な振動を発生させ、この振動の結果としてループシステムの共振周波数における音響信号が生成される。このような事態は、従来から、問題の２つのトランスデューサの間の増巾を個々のニーズに合わせて適正に形成することにより及び／又は独国特許DE10223544に見られるようなフィードバック補償技術を適用することにより、何としても回避すべきこととされている。
【００１１】
上記のフィードバック補償技術は、装着者の耳に適用された聴音装置が存在する通常的な音響環境において、この聴音装置の振動を最も満足のいくように防止することができる。
【００１２】
にも拘わらず、上記の通常的な音響環境に存在するインピーダンスと異なる予め決められたある音響入力インピーダンスが生成された場合に、ループシステムが振動を始めたり、又は、ネガティブ(負)フィードバック制御システムについてよく知られているように、少くともシステムの動作点が不安定に向ってシフトされるという事態が生じ得る。このようなループシステムの動作点の安定点から不安定点へのシフトを聴音装置において検出し、評価し、評価に応じて制御信号を生成することによりシステムの作動状態の切換が実施される。
【００１３】
好ましい実施の形態において、音響インピーダンスの所定挙動は、ループシステムが不安定となり振動を開始する挙動とされる。この場合、検出装置と評価装置は共に、聴音装置及び音響インピーダンスを含む音響／電気フィードバックループシステムによって実現される。これにより、ループシステムが振動を開始し、それぞれの音響信号を生成した時に、切換制御のために選択された音響インピーダンスの所定挙動が存在する旨が検出され評価されたものと考えられる。ループの振動を引起す所定の音響インピーダンスが除去され、通常の音響環境インピーダンスが再び確立され次第、ループシステムは安定挙動に戻る。
【００１４】
この場合、音響インピーダンスの所定挙動は、全体システムが明白に不安定となるように選択することは特に必要ではなく、音響フィードバックの変化がはっきりと検出可能とされる程度であればよく、こうすることにより、ループシステムが完全に不安定になる前に作動状態の切換を制御することができる。音響フィードバックの信号は入力トランスデューサの電気出力側に現れるので、システムが不安定となる開始時点についてこの信号を監視することができる。
【００１５】
従って、本発明の最も好ましい実施の形態において、装着者の耳に適用された聴音装置を含むフィードバックループについて安定性挙動を活用することが実施される。
【００１６】
にも拘わらず、聴音装置が存在する音響環境に向って所定の音響信号を放出する音響源を、好ましくはその聴音装置に設けることによって、音響インピーダンスの検出を実施する第二のモードを実現することができる。この音響環境から反射されてくる音響信号は、音響インピーダンスに従属しているため、この反射音響信号を入力トランスデューサ装置の出力において検出することが音響インピーダンスの挙動を検出することに相当する。この場合、音響源によって生成される音響信号は、好ましくは、人の聴覚の周波数の範囲外、例えば超音波周波数の範囲内の周波数において選択される。
【００１７】
このようにして音響インピーダンスの検出を実現する形態は、特に本発明による切換制御が聴音システムの電力を最小化する要件を含む時には、上述の音響フィードバックの検出に付加して、適用することができる。明白ではあるが、聴音装置の電力をオフとした場合には、電力供給状態を再確立するための音響フィードバックを検出することはできない。従って、上記のような音響源を設け、装置の他の部分がスイッチオフとされた時にもこの音響源はスイッチオンを継続することにより、実際的にはミュート状態を保持し、入力インピーダンスの所定挙動を検出した場合はいつでもシステムの作動状態を完全な電力供給状態に戻すように切換制御を実施する。
【００１８】
本発明により切換えられる第一及び第二の作動状態は、本発明の１つの実施の形態において、当該の聴音装置自体の作動状態を含む。
【００１９】
本発明の更なる実施の形態において、聴音システムにおいて切換えられる第一及び第二の作動状態は、第二の聴音装置の作動状態であり又はこれを含み、及び／又はこれらの２つの聴音装置間に設けられる通信接続の作動状態であり又はこれを含む。
【００２０】
本発明による最小の構成形態において、本発明による聴音システムは１つのみの聴音装置を有する。
【００２１】
更に、本発明による聴音システムにおける１つ又は２つの聴音装置は、耳外取付聴音装置、耳内取付聴音装置及び完全耳道内取付聴音装置のいずれかの形態において選択することが可能である。また、本発明による１つ又は複数の聴音装置は補聴器とすることができる。
【００２２】
本発明は、また聴音装置を有する聴音システムを手動により制御する方法において、この聴音装置及び／又はその周辺に手を当てること、及びこのように手を当てることによる音響入力インピーダンスの変化を検出してこの聴音システムを制御することを含んでなることを特徴とする方法に関する。
【発明の効果】
【００２３】
本発明によれば、少くとも１つの聴音装置を有する聴音システムにおいて作動状態の変化を制御する高度に快適なモードを実現することができる。最も好ましい実施の形態において、このような制御は、聴音装置及び／又はその周辺において装着者が自分の手を動かすだけで実施することが可能である。
【発明を実施するための最良の形態】
【００２４】
以下において、図示された実施の形態による例示に基づいて本発明を更に説明する。
【００２５】
図１は、本発明の聴音システム１の原理を示す信号フロー／機能ブロック略式線図である。聴音システム１は少くとも１つの耳に適用可能とされた聴音装置を備える。聴音システム１は第二の耳に適用可能とされた聴音装置を備えることができる。この場合、２つの聴音装置の間に通信接続を設けることにより両耳用聴音システムを実現することができる。
【００２６】
聴音システム１の最小構成形態として、音響／電気入力トランスデューサ装置（以下入力トランスデューサという）３を有する１つの聴音装置が設けられる。入力トランスデューサ３の出力Ａ３には電気信号の信号処理装置５が接続され、ここにおいて電気出力信号の処理が行われる。信号処理装置５の出力Ａ５には電気／機械出力トランスデューサ装置（以下出力トランスデューサという）７が接続される。聴力装置は、通常入力トランスデューサ、信号処理装置及び出力トランスデューサを備える。
【００２７】
入力トランスデューサ３の音響入力Ｅ３が指向する環境Ｓにはこの音響入力Ｅ３に対する音響入力インピーダンス（以下入力インピーダンスという）Ｚacが存在する。入力インピーダンスＺacは複素周波数従属エンティティ（構成要素）であり、音圧を空気粒子速度で除することにより定義される。音響入力Ｅ３において放出され環境Ｓにおいて反射される音響信号の反射特性は、入力インピーダンスＺacに密接に従属する。
【００２８】
本発明においては、全般的に入力インピーダンスＺacの挙動が図１に示すような検出装置９によって検出される。検出された入力インピーダンスＺacの挙動は次いで評価装置１１により評価される。この評価においては、検出された挙動が、事前に決定されて特性事前決定装置１３から評価装置１１内に設定される所定の基準を達成するか否かについてのチェックが行われる。
【００２９】
入力インピーダンスＺacが特性事前決定装置１３により設定された所定の基準を達成する場合は、評価装置１１は、これに接続された切換装置１５において聴音システム１の全体の第一の作動状態をこれとは異なる第二の作動状態に切換えるように制御する。これらの少くとも２つの作動状態には、例えば次のようなものが含まれる：
−  聴音システム１の電力供給状態
−  聴音システム１内の装置、例えば少くとも１つの聴音装置、の電力供給状態
−  信号処理装置５における信号増巾のような１つの作動パラメータのレベルの変化
−  信号処理装置５における信号処理の変化、等
全体のシステムが上述のような２つの聴音装置を含む場合は、入力インピーダンスＺacの挙動に従属して制御される作動状態は、第二の聴音装置における作動状態及び／又は両耳用聴音システム１における２つの聴音装置間の通信接続の作動状態とすることができ、又はこれらの作動状態を含むことができる。
【００３０】
入力インピーダンスＺacを検出することにより制御可能とされる作動状態の内容の説明から離れて、入力インピーダンスＺacの挙動を検出し評価する技術について、先ず２つの実施の形態に基づいて以下に説明する。
【００３１】
図２は、図１に示す聴音システム１の原理において入力インピーダンスの挙動を検出し評価する部分に関わる一つの実施の形態を示す信号フロー／機能ブロック略式線図である。図２において、図１に関して既述のものについては図１と同じ参照符号を付し、重複する説明は省略する。
【００３２】
図２に示すように、音響信号源２０が設けられ、ここから入力トランスデューサ３の音響入力が指向する環境内に音響信号が放出される。音響信号源２０は、発振器２２により、好ましくは特定の周波数ｆ１において作動される。好ましくは、周波数ｆ１は人の聴覚の範囲外において選択され、これにより、放出された音響信号が聴音装置の装着者に障害を与えないようにしておく。発振器２２の出力は、また検出装置２４の第一の入力に接続される。検出装置２４の第二の入力は、周波数ｆ１に同調された帯域フィルタ２６を介して入力トランスデューサ３の出力Ａ３に接続される。この場合、図１の信号処理装置５の上流又はその内部に周波数ｆ１に同調されたノッチフィルタ（図示省略）を設けることができる。
【００３３】
受信され電気信号に変換された周波数ｆ１の音響信号は、検出装置２４において、例えば商形成により、発振器２２の出力信号に関係付けられ、これにより入力インピーダンスＺacの関数としての信号Ｓ（Ｚ）が生成される。この信号Ｓ（Ｚ）が、図１で述べたように評価装置１１により評価され、これに基づく出力制御信号Ｓｃにより最終的に聴音システム１の作動状態の切換制御が実施される。
【００３４】
図１のシステムにおいて、出力トランスデューサ７が電気／音響トランスデューサとして形成されている場合は、これを図２における音響信号源２０として使用することが完全に可能である。
【００３５】
この場合の実施の形態が図３に示されている。ここにおいて、発振器２２ａは、電気／音響トランスデューサとして形成された出力トランスデューサ７ａを駆動する。出力トランスデューサ７ａにより生成された音響信号は、当分野の熟練者に知られているように、装着者の適用領域における環境Ｉと入力インピーダンスＺacを含む装置を介して入力トランスデューサ３の音響入力Ｅ３にフィードバックされる。図２の実施の形態の場合と同様に、検出装置２４ａが設けられる。この検出装置２４ａは、入力トランスデューサ３の出力信号に従属する電気信号を発振器２２ａの出力信号に従属する信号との関係において評価し、これによって入力インピーダンスＺacの挙動を監視し又は検出する。
【００３６】
図２及び図３に示す実施の形態は、聴音システム及び聴音装置の主回路の電源をオフにした場合にも、本発明によるインピーダンスの挙動の検出を可能とするように実現することができる。このようにすることにより、例えばミュート作動状態において、入力インピーダンスの挙動の検出を可能とするように維持し、これによって聴音装置又は全体の聴音システムを完全に電力供給された作動状態に戻すように切換えることができる。この場合、それぞれの発振器２２、２２ａは、永久的に作動することになるが、最も好ましくは、これらの発振器２２、２２ａは、図１に示す聴音システム１又は聴音装置がミュート作動状態に切換えられた時にスイッチ・オンされるようにしておく。
【００３７】
また、上述のように、それぞれの発振器２２、２２ａにより生成される音響信号の周波数は、好ましくは人の聴覚の範囲外、最も好ましくは例えば超音波の範囲内において選択される。
【００３８】
図３に示す実施の形態において、電気／音響トランスデューサ７ａとして形成された出力トランスデューサ７の音響フィードバックが、入力トランスデューサ３の音響入力に向ってかつこれに対して実施される。
【００３９】
当分野の熟練者に知られているように、この音響フィードバックは、入力トランスデューサ３の出力Ａ３と出力トランスデューサの電気入力Ｅ７の間に個々のニーズに合った伝達特性を形成することにしばしば問題を生じさせる。図３に示すように環境Ｉと入力インピーダンスＺacを介する音響フィードバックにおいては、図中Ｌで示す全体のフィードバックループシステムが時により不安定となり、遂には振動を開始し、結果としてこのループシステムの共振周波数における音響信号音を生じさせることがある。聴音装置、特に耳内取付聴音装置又は完全耳道内取付聴音装置、を設計する場合、装着者の個々のニーズに合った伝達特性の設定には、装着者の周囲の環境と入力トランスデューサ３の音響入力との間の音響連絡が障害なく開放的に行われる正常な環境においてシステムの安定性が保持されるように留意がなされる。
【００４０】
この場合、例えば独国特許DE10223544にも見られるように、フィードバック補償技術により、より高い利得を得ることを目的としながらも、システムの安定性を維持するために相当な努力が払われている。
【００４１】
本発明による好ましい実施の形態において、事前に決定された入力インピーダンスＺacの所定挙動は、ループシステムを不安定にさせるものとして選択できるように実施される。この入力インピーダンスの所定挙動は、聴音装置においてループシステムの安定性を表わす信号挙動を監視することによって検出される。確立された作動の安定モードからの離反を、例えば入力トランスデューサ３の出力側における位相移動によって指示することができる。
【００４２】
この場合、好ましくは、入力インピーダンスＺacの所定挙動の検出及び評価は、次のように、即ち、このインピーダンスの挙動においてループシステムが不安定になり、振動して、出力トランスデューサ７ａの音響出力に信号音を生成するような入力インピーダンスＺacの所定挙動を選択するように実施される。これにより、この信号音は、入力インピーダンスＺacの所定挙動がループシステム自体により検出され評価されたことを指示する。
【００４３】
図４は、上記に関わる実施の形態を示している。ここにおいて、聴音装置における電気信号は、必要に応じて帯域フィルタ（図示省略）を介して、制御信号Ｓｃとして監視される。
【００４４】
図１ないし図４において、矢印Ｈは入力インピーダンスＺacの変動を表わしている。本発明の基本的課題に鑑みて、聴音システム及び／又は聴音装置の作動状態を制御可能に変化させる入力インピーダンスＺacの所定挙動は、装着者により最も快適に実現可能に選定できるものでなければならない。従って、最も好ましくは装着者の手を聴音装置及び／又はその周辺に当てることにより、入力インピーダンスＺacの挙動が生成され、これが選択される。このように入力インピーダンスの所定挙動を得ることにより、聴音装置又はその周辺に手を当てるだけでシステムの作動状態を制御することが可能となる。この場合、所定挙動の選定のために、聴音装置に対する手の位置を必ずしも正確に位置決めすることは必要とされない。
【００４５】
即ち、聴音装置及び／又はその周辺に手を当てることにより実施される所定挙動の選定には、種々の手の動作、例えば、聴音装置に沿った１回又は複数回の掃くような動き、聴音装置周辺で所定時間手を保持すること、聴音装置に沿って先ず手を掃くように動かし、次いで装置周辺で所定時間手を保持すること、等の少くとも１つが含まれる。このように所定状態の切換を実施する手の動きをそれぞれ定義することにより、このような状態制御を事実上コード化することが可能である。
【００４６】
図５は、本発明の聴音システム１において実施される作動状態の制御の例を示す信号フロー／機能ブロック略式線図である。符号３１、３２、符号５１、５２及び符号７１、７２はそれぞれ入力トランスデューサ、信号処理装置及び出力トランスデューサを示す。図５において、入力インピーダンスＺacは、図１ないし図４に関して説明したように既に検出され評価され、その結果として制御信号Ｓｃが得られているものとして示されている。図５に示す聴音システム１は、両耳用聴音システムであり、２つの耳に適用される第一及び第二の聴音装置Ｎｏ．１及びＮｏ．２を有している。
【００４７】
２つの聴音装置の間の通信は、通信接続３０を介して実施される。
【００４８】
一方又は場合により双方の聴音装置において生成される制御信号Ｓｃは、図５にみるように、第一の聴音装置Ｎｏ．１、第二の聴音装置Ｎｏ．２及び通信接続３０の少くとも１つを制御する。
【００４９】
本発明によれば、少くとも１つの聴音装置を有する聴音システムにおいて作動状態の変化を制御する高度に快適なモードを実現することができる。最も好ましい実施の形態において、このような制御は、聴音装置及び／又はその周辺において装着者が自分の手を動かすだけで実施することが可能である。
2005110241.tif 000003
【図面の簡単な説明】
【００５０】
【図１】本発明の聴音システム及びその制御方法に関わる原理を示す信号フロー／機能ブロック略式線図。
【図２】図１に示す原理において音響入力インピーダンスの挙動を検出し評価する部分に関わる１つの実施の形態を示す信号フロー／機能ブロック略式線図。
【図３】図２と同じ部分に関わる別の実施の形態を示す信号フロー／機能ブロック略式線図。
【図４】図２と同じ部分に関わる更に別の実施の形態を示す信号フロー／機能ブロック略式線図。
【図５】本発明の聴音システムを両耳用聴音システムとして実現する実施の形態を示す信号フロー／機能ブロック略式線図。
【符号の説明】
【００５１】
１            聴音システム
３、３１、３２  音響／電気入力トランスデューサ装置
５、５１、５２  信号処理装置
７、７１、７２  電気／機械出力トランスデューサ装置
７ａ      電気／音響出力トランスデューサ装置
９、２４、２４ａ  検出装置
１１      評価装置
１３      特性事前決定装置
１５      切換装置
２０      音響信号源
２２、２２ａ  発振器
２６      帯域フィルタ
３０      通信接続
Ｅ３      音響入力
Ｅ７      電気入力
Ａ３、Ａ５    出力
Ｓ（Ｚ）    信号
Ｓｃ      制御信号
ｆ、ｆ１    周波数
Ｈ      音響入力インピーダンス変動
Ｚac      音響入力インピーダンス
Ｌ      ループシステム
Ｎｏ．１    第一の聴音装置
Ｎｏ．２    第二の聴音装置
Ｉ、Ｓ    環境
【図１】
2005110241.tif 000004
【図２】
2005110241.tif 000005
【図３】
2005110241.tif 000006
【図４】
2005110241.tif 000007
【図５】
2005110241.tif 000008